(57)【要約】【課題】塔頂アンプの状態を簡便に監視することの可能な警報通知システムを提供すること。【解決手段】２本の同軸ケーブルＰ，Ａのうち、一方のみで電源供給し、他の一方で定電流値により塔頂アンプ２０から監視装置１０にアラームを通知する。その際、マイナーアラームとメジャーアラームなどといった複数種のアラームを。この定電流値を変えることで区別するようにする。監視装置１０においては同軸ケーブルＡの終端抵抗の両端の電圧を測定することにより電流値を判別し、アラーム種別を確認できるようにした。【選択図】      図１
2007208706.tif 000002
【特許請求の範囲】
【請求項１】
ダイバーシティ系を形成する第１および第２のアンテナに接続され、当該第１および第２のアンテナを介して送受される無線周波数信号を増幅する塔頂増幅器と、
前記第１のアンテナに係る無線周波数信号を伝送する第１のケーブルと、前記第２のアンテナに係る無線周波数信号を伝送する第２のケーブルとを介して前記塔頂増幅器に接続される監視装置とを具備し、
前記塔頂増幅器は、
自己に生じた障害を検出する障害検出手段と、
前記検出された障害の状態に応じて値の異なる電流を前記第１のケーブルに印加する定電流源とを備え、
前記監視装置は、
前記第２のケーブルを介して前記塔頂増幅器に給電する給電手段と、
前記第１のケーブルに印加される電流値に基づいて前記塔頂増幅器の状態をモニタするモニタ手段とを備えることを特徴とする警報通知システム。
【請求項２】
前記監視装置は、前記第１のケーブルの直流成分を終端する終端抵抗を備え、
前記モニタ手段は、前記終端抵抗の両端の電圧に基づいて前記塔頂増幅器の状態をモニタすることを特徴とする請求項１に記載の警報通知システム。
【発明の詳細な説明】
【技術分野】
【０００１】
この発明は、例えば移動通信システムの基地局アンテナと組み合わせて用いられる塔頂増幅器（以下、塔頂アンプと称する）を監視するための警報通知システムに関する。
【背景技術】
【０００２】
移動通信システムの基地局アンテナなどには、無線送受信信号（ＲＦ信号）送信波および受信波の増幅のために塔頂アンプが設けられることが多い。塔頂アンプは監視装置と組み合わせて用いられ、障害が生じた際には塔頂アンプから監視装置に警報が通知されるようになっている。警報転送に関連する技術が下記特許文献１に開示されている。
【０００３】
旧来のシステムでは塔頂アンプと監視装置とは、ＲＦ信号を伝送する同軸ケーブルと、電源供給および警報転送を行う複合ケーブルとで接続されていたが、工事配線を削減するために電源を同軸ケーブルに重畳するようになってきている。このような形態では、例えばマイナーアラームとメジャーアラームの２種以上のアラームを区別するためにＡＳＫ（Amplitude Shift Keying）やＦＳＫ（Frequency Shift Keying）といったデータ通信によりアラームを転送するようにしている。しかしながらこのような構成ではアラーム転送のためにＣＰＵ（Central Processing Unit）やモデムなどが必要となり、簡易な塔頂アンプの場合でも主信号部に比べて回路が非常に大きくなるという不具合がある。
【特許文献１】実開平３−９３９９７号公報
【発明の開示】
【発明が解決しようとする課題】
【０００４】
以上のように塔頂アンプの状態を監視するにはデータ通信用のモデムなどが必要となり、アラーム転送のための回路がアンバランスに大きくなりすぎるという不具合がある。  
この発明は上記事情によりなされたもので、その目的は、塔頂アンプの状態を簡便に監視することの可能な警報通知システムを提供することにある。
【課題を解決するための手段】
【０００５】
上記目的を達成するためにこの発明の一態様によれば、ダイバーシティ系を形成する第１および第２のアンテナに接続され、当該第１および第２のアンテナを介して送受される無線周波数信号を増幅する塔頂増幅器と、前記第１のアンテナに係る無線周波数信号を伝送する第１のケーブルと、前記第２のアンテナに係る無線周波数信号を伝送する第２のケーブルとを介して前記塔頂増幅器に接続される監視装置とを具備し、前記塔頂増幅器は、自己に生じた障害を検出する障害検出手段と、前記検出された障害の状態に応じて値の異なる電流を前記第１のケーブルに印加する定電流源とを備え、前記監視装置は、前記第２のケーブルを介して前記塔頂増幅器に給電する給電手段と、前記第１のケーブルに印加される電流値に基づいて前記塔頂増幅器の状態をモニタするモニタ手段とを備えることを特徴とする警報通知システムが提供される。
【０００６】
このような手段を講じることにより、塔頂増幅器には第２のケーブルを介して給電されるとともに塔頂増幅器の障害情報は第１のケーブルを介して監視装置に伝達される。第１のケーブルに印加される電流値を可変することで複数のアラームを監視装置に伝達することが可能になる。
【発明の効果】
【０００７】
この発明によれば、塔頂アンプの状態を簡便に監視することの可能な警報通知システムを提供することができる。
【発明を実施するための最良の形態】
【０００８】
図１は、この発明に係わる警報通知システムの実施の形態を示す概念図である。このシステムは監視装置（ＣＥ：Center Equipment）１０と、この監視装置１０に接続される複数の塔頂アンプ（ＴＭＡ：Tower Mounted Amplifier）２０を備える。各塔頂アンプ２０は無線周波数信号を伝送する同軸ケーブルＰおよび同軸ケーブルＡを介して監視装置１０に接続される。塔頂アンプ２０はダイバーシティ系を形成する少なくとも２本のアンテナ（図示せず）を備え、これらのアンテナは同軸ケーブルＰおよび同軸ケーブルＡにそれぞれ個別に接続される。
【０００９】
塔頂アンプ２０は、アンテナを介して送受信される無線周波数信号を増幅するための複数の増幅器（ＬＮＡ：Low Noise Amplifier）１，２を備える。監視装置１０は各塔頂アンプ２０の障害状態を監視し、障害の発生を検知するとその旨を上位装置（図示せず）に伝達する。
【００１０】
ところで、塔頂アンプ２０の駆動電圧（例えば−４８Ｖ）は監視装置１０から同軸ケーブルＰを介して伝達される。その供給ラインには高周波阻止用のコイルＬとブレーカ（ＭＣＣＢ）１１とが設けられる。また監視装置１０にはそれぞれ同軸ケーブルＡに接続されるアラーム検出部１２が設けられる。アラーム検出部１２は同軸ケーブルＡに印加される電流値に基づいて塔頂アンプ２０の状態をモニタし、障害の発生を検知するとリレー１３を駆動して障害モードに切り替える。
【００１１】
図２は、図１の監視装置１および塔頂アンプ２を示すブロック図である。図２において、塔頂アンプ２０は定電流値設定回路２１と、定電流源２２とを備える。定電流値設定回路２１はＬＮＡ１，２の状態に応じて異なる電流値を定電流源２２に設定する。例えばＬＮＡ１が正常であれば５ｍＡが、ＬＮＡ２が正常であれば１０ｍＡがそれぞれ定電流源２２に設定される。ＬＮＡ１，２がいずれも正常であれば１５ｍＡが定電流源２２に設定される。
【００１２】
定電流源２２により供給される電流値は同軸ケーブルＡを介して監視装置１０に伝達される。監視装置１０において同軸ケーブルＡは電源１５に接続された終端抵抗１４に接続され、その両端の電圧が比較器１６，１７，１８に印加される。比較器１６，１７，１８は終端抵抗１４の電圧から同軸ケーブルＡの印加電圧を検知する。比較器１６により１５ｍＡが検知された場合には塔頂アンプ２０におけるＬＮＡ１，２が何れも正常であることがわかる。比較器１７により１０ｍＡが検知された場合にはＬＮＡ１に異常が生じたことが示され、比較器１８により５ｍＡが検知された場合にはＬＮＡ２に異常が生じたことが示される。さらに、電流の検出値が０ｍＡであればＬＮＡ１，２の両方に異常の生じたことが示される。
【００１３】
図３は、既存の警報通知システムを示すブロック図である。既存のシステムにおいては監視装置１００と塔頂アンプ２００とを接続する同軸ケーブルＰ１，Ｐ２の両方に駆動電圧が印加され、塔頂アンプ２００の複数の電源回路２３により電圧を再生するようになっている。このため塔頂アンプ２００から監視装置１００への情報伝達を、電流や電圧といった単純な手法で伝達することができず、データ通信のかたちで実施せざるを得ない。このためモデムやＣＰＵなどが必要となり、構成が複雑になりやすい。
【００１４】
これに対して本実施形態では、２本の同軸ケーブルＰ，Ａのうち、一方のみで電源供給し、他の一方で定電流値により塔頂アンプ２０から監視装置１０にアラームを通知するようにしている。その際、マイナーアラームとメジャーアラームなどといった複数種のアラームを。この定電流値を変えることで区別するようにする。監視装置１０においては同軸ケーブルＡの終端抵抗の両端の電圧を測定することにより電流値を判別し、アラーム種別を確認できるようにしている。  
このようにしたので、アラームの伝達機構を例えばロジックゲートなどを用いた単純な構成により実現することができ、これにより塔頂アンプの状態を簡便に監視することの可能な警報通知システムを提供することが可能となる。
【００１５】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１６】
【図１】この発明に係わる警報通知システムの実施の形態を示す概念図。
【図２】図１の監視装置１および塔頂アンプ２を示すブロック図。
【図３】既存の警報通知システムを示すブロック図。
【符号の説明】
【００１７】
１，２…増幅器（ＬＮＡ）、１０…監視装置、１１…ブレーカ（ＭＣＣＢ）、１２…アラーム検出部、１３…リレー、１４…終端抵抗、１５…電源、１６，１７，１８…比較器、２０…塔頂アンプ、２１…定電流値設定回路、２２…定電流源、Ｌ…コイル、Ｐ，Ａ…同軸ケーブル
【図１】
2007208706.tif 000003
【図２】
2007208706.tif 000004
【図３】
2007208706.tif 000005